(57)【要約】【課題】  戸当り部がドアの表面から突出することがなく、ドア装置全体として厚みを小さくできるとともに、美観を向上しうるようにしたドア装置を提供する。【解決手段】  縦枠３Ａにおけるドア６の遊端面に対向する面に、ドア６の遊端面に向かって突出する戸当り部１６を設け、ドア６の遊端部には、ドア６の厚み方向に凹んだ凹部２３を形成し、ドア６を閉めたときに、凹部２３内に戸当り部１６が位置して、凹部２３の側面と戸当り部１６とが当接するようにする。【選択図】図２
2005105664.tif 000002
【特許請求の範囲】
【請求項１】
左右の縦枠と上枠とにより出入り口を構成し、一方の縦枠にヒンジを介してドアの基端部を取付け、該ドアの遊端部を他方の縦枠に設けた戸当り部に当接させて閉止するようにしたドア装置において、
前記他方の縦枠における前記ドアの遊端面に対向する面に、ドアの遊端面に向かって突出する戸当り部を設け、前記ドアの遊端部には、ドアの厚み方向に凹んだ凹部を形成し、ドアを閉めたときに、前記凹部内に戸当り部が位置して、凹部の側面と戸当り部とが当接するようにしたことを特徴とするドア装置。
【請求項２】
ドアを閉めたとき、戸当り部の外表面とドアの表面とが同一面をなすようにしたことを特徴とする請求項１記載のドア装置。
【請求項３】
戸当り部に、ドアと当接するシール部材を取付けたことを特徴とする請求項１または２記載のドア装置。
【請求項４】
凹部をドアのヒンジ側の端部および上端部にも形成し、戸当り部をヒンジ側の縦枠および上枠にも設けたことを特徴とする請求項１〜３のいずれか１頁に記載のドア装置。
【請求項５】
左右の縦枠および上枠におけるドアが開閉移動する側の面に、ドアの開く方向に向かって拡開する傾斜面を設けたことを特徴とする請求項１〜４のいずれか１頁に記載のドア装置。
【請求項６】
縦枠及び上枠を、間仕切り壁における出入り口の縁部に設けたことを特徴とする請求項１〜５のいずれか１頁に記載のドア装置。
【発明の詳細な説明】
【技術分野】
【０００１】
本発明は、間仕切り壁等の出入り口に使用される片開きのドア装置に関する。
【背景技術】
【０００２】
従来、間仕切り壁等の出入り口に使用される片開きのドア装置として、出入り口を構成する左右の縦枠の一方に、ドアの基端部をヒンジを介して取り付け、他方の縦枠に、閉鎖時のドアを止める戸当り部を設けた技術が知られている（例えば、特許文献１参照）。
【特許文献１】実公平５−１０１３９号公報（図１３）
【特許文献２】特開平９−１１２１４６号公報（図１０）
【発明の開示】
【発明が解決しようとする課題】
【０００３】
特許文献１に記載されているドア装置では、ドアを閉めたとき、戸当り部にドア表面が重なるように当接し、このため、ドア装置は戸当り部の厚みにドアの厚みが加わった幅（厚み）を占有することになり、ドア装置の占有スペースが大きくなるとともに、戸当り部がドアの表面に突出するため美観上も好ましくないという問題がある。
【０００４】
特許文献２に記載されているドア装置では、ドアを閉めたとき、ドアの表面と縦枠の表面とは同一面となるが、戸当り部がその面から突出するように設けられているため、美観を損ねるだけでなく、戸当り部が通行の妨げとなる等の問題がある。
【０００５】
本発明は、従来の技術が有する上述のような問題点に鑑みてなされたもので、戸当り部がドアの表面から突出することがなく、ドア装置全体として厚みを小さくできるとともに、美観を向上しうるようにしたドア装置を提供することを目的としている。
【課題を解決するための手段】
【０００６】
本発明によると、上記課題は、次のようにして解決される。
（１）左右の縦枠と上枠とにより出入り口を構成し、一方の縦枠にヒンジを介してドアの基端部を取付け、該ドアの遊端部を他方の縦枠に設けた戸当り部に当接させて閉止するようにしたドア装置において、前記他方の縦枠における前記ドアの遊端面に対向する面に、ドアの遊端面に向かって突出する戸当り部を設け、前記ドアの遊端部には、ドアの厚み方向に凹んだ凹部を形成し、ドアを閉めたときに、前記凹部内に戸当り部が位置して、凹部の側面と戸当り部とが当接するようにする。
【０００７】
（２）上記(１)項において、ドアを閉めたとき、戸当り部の外表面とドアの表面とが同一面をなすようにする。
【０００８】
（３）上記(１)または(２)項において、戸当り部に、ドアと当接するシール部材を取付ける。
【０００９】
（４）上記(１)〜(３)項のいずれかにおいて、凹部をドアのヒンジ側の端部および上端部にも形成し、戸当り部をヒンジ側の縦枠および上枠にも設ける。
【００１０】
（５）上記(１)〜(４)項のいずれかにおいて、左右の縦枠および上枠におけるドアが開閉移動する側の面に、ドアの開く方向に向かって拡開する傾斜面を設ける。
【００１１】
（６）上記(１)〜(５)項のいずれかにおいて、縦枠及び上枠を、間仕切り壁における出入り口の縁部に設ける。
【発明の効果】
【００１２】
（Ａ）請求項１記載の発明によると、縦枠におけるドアの遊端面に対向する面に、ドアの方向に突出する戸当り部を設け、ドアの遊端部には、ドアの厚み方向に凹んだ凹部を形成して、ここに戸当り部が嵌合するようにしたので、戸当り部がドアの表面より突出しないようにすることができるとともに、ドア装置全体として厚みを小さくして、占有スペースを小さくすることができ、しかも美観も向上する。
【００１３】
（Ｂ）請求項２記載の発明によると、ドアを閉めたとき戸当り部の外表面とドアの表面とは同一面をなすので、戸当り部が目立たず、美観がいっそう向上する。
【００１４】
（Ｃ）請求項３記載の発明によると、戸当り部にドアと当接するシール部材を取付けたので、遮光性および遮音性が向上する。
【００１５】
（Ｄ）請求項４記載の発明によると、凹部をドアのヒンジ側の端部および上端部にも形成し、戸当り部をヒンジ側の縦枠および上枠にも形成したので、ドアの周囲において戸当り部が目立たず、美観がいっそう向上する。
【００１６】
（Ｅ）請求項５記載の発明によると、左右縦枠および上枠の、ドアが開閉移動する側の面にドアの開く方向に向かって拡開する傾斜面を設けたので、縦枠がドアの開閉操作の邪魔にならず、開閉操作がしやすくなるとともに、傾斜面が縁取りの機能を果たし、美観がいっそう向上する。
【００１７】
（Ｆ）請求項６記載の発明によると、ドアを閉めたときの厚みが薄く、占有スペースの小さい間仕切りを提供できる。
【発明を実施するための最良の形態】
【００１８】
以下、本発明の一実施形態であるドア装置を、図１〜図４を参照しながら説明する。
図１は、間仕切り壁に取付けられたドアの正面図である。同図に示すように、室内を仕切る間仕切り壁(１)には、出入り口を構成する枠体(２)が取付けられている。この枠体(２)は、両側の縦枠(3A)(3B)と、この縦枠(3A)(3B)の上側に設けられた上枠(４)とにより構成されている。
【００１９】
図１に示す左側の縦枠(3B)には、ヒンジ(５)を介してドア(６)が取り付けられている。このドア(６)は、ドアパネル(７)と、このドアパネル(７)の左右両側に設けられた縦框(8A)(8B)と、上側に設けられた上框(９)と、下側に設けられた下框(10)とにより構成されている。
【００２０】
図２、図３および図４は、各々図１のII−II線、III−III線およびIＶ−IＶ線に沿う拡大断面図である。
【００２１】
図２に示すように、間仕切り壁(１)に形成された出入り口の内側面には、固定枠(11A)が取付けられ、この固定枠(11A)の内側に連結枠(12A)が設けられ、この連結枠(12A)の内側に縦枠(3A)が固着されている。縦枠(3A)には、外側（連結枠(12A)側）に凹部(13)が形成され、この凹部(13)の両側に突出部(14)が形成され、この突出部(14)の両側に嵌合部(15)が形成されている。
【００２２】
さらに、縦枠(3A)における、内側（ドア(６)側）の幅方向の端部には、戸当り部(16)がドア(６)の遊端面に向かって、すなわち内方に向かって突出するように形成され、戸当り部(16)と反対側の端部には、ドア(６)の開く方向に向かって拡開する傾斜面(17)が形成されている。
【００２３】
嵌合部(15)は連結枠(12A)に嵌合され、凹部(13)には連結枠(12A)の突出部(18)が嵌合され、縦枠(3A)(3B)は連結枠(12A)にねじ(19)により固定されている。戸当り部(16)の内面には、弾性体のシール部材(20)が取付けられている。
【００２４】
ドア(６)の縦框(8A)(8B)はドアパネル(７)の側端部に取付けられており、この縦框(8A)(8B)の両側部の溝(21)にドアパネル(７)の化粧板(22)が嵌めこまれている。縦框(8A)(8B)における縦枠(3A)(3B)の戸当り部(16)と対向する角部には、ドア(６)の厚み方向に凹んだ段状の凹部(23)が形成されている。
【００２５】
図２に示すように、ドア(６)を閉めた状態において、戸当り部(16)は凹部(23)に入り込み、戸当り部(16)はシール部材(20)を介して凹部(23)の戸当り面(23a)に当接し、この状態で、ドア(６)の表面(化粧板(22)の面）と、戸当り部(16)の外表面と、縦枠(3A)(3B)の表面とが、すべて同一面となるようにしてある。
【００２６】
このように、戸当り部(16)と対向する凹部(23)を、ドア(６)の側端部に設けることにより、戸当り部(16)がドア(６)の表面から突出しないようにすることができるとともに、必要に応じて、ドア(６)の表面と戸当り部(16)の外表面とを同一面にすることもでき、これにより、ドア(６)の周辺の美観がよくなる。また、ドア(６)の表面と戸当り部(16)が重ならないため、ドア装置全体として厚みを小さくでき、さらに、戸当り部(16)にシール材(20)を設けることにより、遮音性および遮光性を高めることができる。
ドア(６)のヒンジ(５)と反対側の側端部には取手(24)が設けられ、この取手(24)の操作で縦枠(3A)に係合するラッチ(25)を解除できるようになっている。
【００２７】
図３に示すように、出入り口の左側の内側面にも、右側の固定枠(11A)、連結枠(12A)、縦枠(3A)と同一構造の固定枠(11B)、連結枠(12B)、縦枠(3B)が設けられている。ドア(６)の左側の縦框(8B)にも、縦枠(3B)の戸当り部(16)と対向する凹部(23)が形成されている。左側の縦框(8A)(8B)には、ヒンジ(５)が止めねじ(26)をもって固着されている。ドア(６)は、ヒンジ(５)の軸部を中心に回転し、鎖線で示す位置まで開くことができる。このとき、縦枠(3B)に傾斜面(17)があるため、ドア(６)が縦枠(3B)に衝接することがなく、ドア(６)は大きく開くことができる。
【００２８】
図４に示すように、天井(27)に、止めねじ(28)をもって固定枠(29)が取り付けられ、この固定枠(29)に連結枠(30)が固定され、この連結枠(30)に縦枠(3A)、(3B)と同一構造の上枠(４)が嵌合固定されている。ドア(６)の上端には、上枠(４)に設けた下向き突出する戸当り部(16)に対向する凹部(23)が形成されている。
【００２９】
上記実施形態では、間仕切り壁に適用したドア装置の例を示しているが、本発明は、間仕切り壁以外の一般の壁体の出入り口にも適用可能である。
【図面の簡単な説明】
【００３０】
【図１】本発明のドア装置の一例を示す正面図である。
【図２】図１のII−II線拡大断面図である。
【図３】図１のIII−III線拡大断面図である。
【図４】図１のIＶ−IＶ線拡大断面図である。
【符号の説明】
【００３１】
(１)間仕切り壁
(２)枠体
(3A)(3B)縦枠
(４)上枠
(５)ヒンジ
(６)ドア
(７)ドアパネル
(8A)、(8B)縦框
(９)上框
(10)下框
(11A)固定枠
(12A)連結枠
(13)凹部
(14)突出部
(15)嵌合部
(16)戸当り部
(17)傾斜面
(18)突出部
(19)ねじ
(20)シール部材
(21)溝
(22)化粧板
(23)凹部
(24)取手
(25)ラッチ
(26)止めねじ
(27)天井
(28)止めねじ
(29)固定枠
(30)連結枠
【図１】
2005105664.tif 000003
【図２】
2005105664.tif 000004
【図３】
2005105664.tif 000005
【図４】
2005105664.tif 000006